(57)【特許請求の範囲】
【請求項１】
ネットワークに接続された複数の端末装置が、各端末装置に付与された機器識別情報に基づいて互いに通信を行うネットワークシステムにおいて、
複数の端末装置のうち少なくとも２台以上は、１乃至複数の機能を有するネットワーク機器であり、各ネットワーク機器は、複数の属性カテゴリー毎に予め設定された属性情報を具備して、各属性情報には属性情報識別子が付与されており、
複数の端末装置のうち少なくとも１台以上は、各ネットワーク機器の機能の監視または制御を行う監視制御画面を表示し、監視制御画面を操作することによって各ネットワーク機器の機能を監視する通知要求、または各ネットワーク機器の機能を制御する実行要求を各ネットワーク機器へ送信する表示装置であり、
複数の端末装置のうち少なくとも１台以上は、属性情報の属性識別子および機器識別情報を各ネットワーク機器から収集する情報収集手段と、属性カテゴリーと当該属性カテゴリーに属する属性識別子と当該属性識別子に対応する属性情報とを予め関連付けた設定対応情報、および情報収集手段によって収集された属性識別子と機器識別情報とを関連付けた収集対応情報を格納した記憶手段を備え、
表示装置は、
属性カテゴリー単位で属性カテゴリー画面を表示し、属性カテゴリー画面の操作結果に基づいていずれかの属性カテゴリーを選択するカテゴリー指示手段と、
カテゴリー指示手段が選択した属性カテゴリーに属する属性識別子を設定対応情報に基づいて抽出し、抽出された属性識別子と収集対応情報に設定されている属性識別子とを照合して互いに一致する属性識別子がある場合は、設定対応情報において当該一致する全ての属性識別子に関連付けられた属性情報を抽出し、抽出された属性情報単位で属性情報画面を表示し、属性情報画面の操作結果に基づいて、いずれかの属性情報を選択する属性情報指示手段と、
選択された属性情報を有するネットワーク機器の機能を監視または制御する監視制御画面を生成して表示する監視制御画面生成手段と
を備える
ことを特徴とするネットワークシステム。
【請求項２】
前記記憶手段は、前記属性情報または属性情報の属性識別子と当該属性情報を表示する画面テンプレートとを関連付けたテンプレート対応情報を格納し、
前記監視制御画面生成手段は、前記属性情報指示手段によって選択された属性情報または当該属性情報の属性識別子に関連付けられた画面テンプレートを、前記収集対応情報を参照して、当該属性情報に関連付けられた機器識別情報毎に監視制御画面に表示する
ことを特徴とする請求項１記載のネットワークシステム。
【請求項３】
前記監視制御画面生成手段は、前記属性情報指示手段によって選択された属性情報または当該属性情報の属性識別子に関連付けられた画面テンプレートを、前記収集対応情報を参照して、当該属性情報に関連付けられた機器識別情報毎に監視制御画面に表示するとともに、収集対応情報を参照して、機器識別情報毎に前記選択された属性情報の属性識別子以外の属性識別子に関連付けられた属性情報のデータを監視制御画面に補助表示することを特徴とする請求項２記載のネットワークシステム。
【請求項４】
前記監視制御画面の各画面テンプレートは、当該画面テンプレートに対応するネットワーク機器の機能の監視または制御を操作する要求操作手段を備え、前記表示装置は、監視制御画面に表示された画面テンプレートで要求操作手段が操作されると、当該画面テンプレートに対応するネットワーク機器へ通知要求または実行要求を送信することを特徴とする請求項２または３記載のネットワークシステム。
【請求項５】
前記ネットワーク機器は、機能情報を与えられることによりサービスを提供するサービス提供機能部と、サービス提供機能部が提供するサービスに対応する機能情報を定義した入出力定義を１乃至複数具備して当該入出力定義に定義されている前記機能情報をサービス提供機能部に与える処理を実行するための１乃至複数のオブジェクトを有し、各オブジェクトに付与された付与識別子を用いた通知要求または実行要求を受け取った場合、当該オブジェクトを実行することによって機能情報をサービス提供機能部に与えてネットワーク機器の機能を監視または制御する情報処理部とを備え、
前記表示装置は、付与識別子を用いた通知要求または実行要求を送信する
ことを特徴とする請求項１乃至４いずれか記載のネットワークシステム。
【請求項６】
前記属性カテゴリーは、少なくとも、前記ネットワーク機器の機能と、当該機能に対応する場所とを含むことを特徴とする請求項１乃至５いずれか記載のネットワークシステム。
【請求項７】
前記属性カテゴリーは、少なくとも、ユーザ情報を含むことを特徴とする請求項１乃至６いずれか記載のネットワークシステム。
【請求項８】
前記属性カテゴリーは、少なくとも、監視制御の対象となる媒体情報を含むことを特徴とする請求項１乃至７いずれか記載のネットワークシステム。
【発明の詳細な説明】
【技術分野】
【０００１】
本発明は、ネットワークシステムに関するものである。
【背景技術】
【０００２】
複数のネットワーク機器と表示装置とをネットワークに接続したシステムがあり、第１の従来例では、表示装置に各ネットワーク機器の情報を表示する際には、各ネットワーク機器に予め組み込まれたＧＵＩコンテンツを表示装置が取得し、表示装置には、まず、図９（ａ）に示すようにネットワーク機器毎（センタサーバ、ネットワーク機器１０２、１０３，１０４）にアイコンＢ１０１〜Ｂ１０４がメインメニュー画面Ｇ１０１に表示されている。
【０００３】
そして、このメインメニュー画面Ｇ１０１においてメニューアイコンＢ１０２をクリックすると、図９（ｂ）に示すネットワーク機器１０２の制御監視画面Ｇ１０２に遷移し、制御監視画面Ｇ１０２において次ページボタンＢ１１０をクリックすると図９（ｃ）に示すネットワーク機器１０２の制御監視画面Ｇ１０３に遷移し、前ページボタンＢ１１１をクリックすると制御監視画面Ｇ１０２に再び遷移する。
【０００４】
制御監視画面Ｇ１０２，Ｇ１０３には、ネットワーク機器１０２配下の器具（照明器具、空調器具、床暖房器具）の各状態を示す状態表示部Ｃ１０１と、各状態を切り替える操作ボタンＣ１０２とが、器具毎に表示されている。ここで、状態表示部Ｃ１０１に表示される照明器具の状態とはＯＮ／ＯＦＦ（点灯／消灯）状態であり、空調器具および床暖房器具の状態とはＯＮ／ＯＦＦ（電源入／電源切）状態である。また、操作ボタンＣ１０２によって切り替えられる照明器具の状態とはＯＮ／ＯＦＦ（点灯／消灯）状態であり、空調器具および暖房器具の状態とはＯＮ／ＯＦＦ（電源入／電源切）状態である。
【０００５】
また、メインメニュー画面Ｇ１０１においてメニューアイコンＢ１０４をクリックすると、図９（ｄ）に示すネットワーク機器１０４の制御監視画面Ｇ１０４（１／５ページ）に遷移し、制御監視画面Ｇ１０４において次ページボタンＢ１１０をクリックすると次ページに遷移し、次ページボタンＢ１１０をクリックする操作を繰り返すことで図９（ｅ）に示すネットワーク機器１０４の制御監視画面Ｇ１０５（５／５ページ）に遷移し、前ページボタンＢ１１１をクリックすると制御監視画面Ｇ１０４に再び遷移する。
【０００６】
また、制御監視画面Ｇ１０２〜Ｇ１０５においてメニューボタンＢ１１２をクリックすると、メインメニュー画面Ｇ１０１に遷移する。
【０００７】
制御監視画面Ｇ１０４，Ｇ１０５には、ネットワーク機器１０２配下の器具（照明器具、電気錠、空調器具、防犯器具）の各状態を示す状態表示部Ｃ１０１と、各状態を切り替える操作ボタンＣ１０２とが、器具毎に表示されている。ここで、状態表示部Ｃ１０１に表示される電気錠の状態とは施錠／開錠状態である。また、操作ボタンＣ１０２によって切り替えられる電気錠の状態とは施錠／開錠状態である。なお、防犯機器は設置されておらず、未検知表示されている。
【０００８】
また、第２の従来例では、表示装置がネットワーク機器から機器コードを受信してアドレステーブルを作成し、保持している画面テンプレートと表示データからアドレステーブルにしたがって、各ネットワーク機器を監視制御するアイコンの表示順を設定したり、使用頻度を基にして最適な制御画面を生成して表示している（例えば、特許文献１参照）。
【特許文献１】特開２００５−３１００２２号公報
【発明の開示】
【発明が解決しようとする課題】
【０００９】
しかしながら、上記第１の従来例における画面遷移では，メインメニューにネットワーク機器別のアイコンが表示され、ネットワーク機器の配下の各器具の状態を監視制御するためには、ネットワーク機器からしか辿ることができない。そのため、各器具がどのネットワーク機器に接続されているかをユーザが予め把握する必要がある。しかし、ネットワーク機器に接続する器具が膨大な数になれば（ビルなどの非住宅分野のように、計測端末を多数接続する場合等）、その器具がどのネットワーク機器の配下にあるかをユーザが把握することが非常に困難となる。
【００１０】
また、１つのネットワーク機器の配下に接続される器具数が多い場合、図９（ｅ）のように、次ページボタンＢ１１０を何度もクリックしなければ、所望の器具が表示されるページに辿りつかない場合があり（図９（ｅ）は５／５ページ）、ユーザにとっては非常に面倒であった。
【００１１】
また、上記第２の従来例では、「エアコン」「冷蔵庫」「電子レンジ」「洗濯機」等の器具がネットワーク機器に相当し、メインメニュー画面では「エアコン」「冷蔵庫」「電子レンジ」「洗濯機」等の器具別表示のみであり、このような画面表示は，一家に１つしかないような家電製品等の表示であれば特に問題はないが，今後ネットワークに接続する器具が増大し、屋内の至る所に照明等が接続されると，特定の器具の監視・制御画面に遷移するまでに、それ相応のクリック操作が必要になる。
【００１２】
すなわち、上記第１の従来例は、ネットワーク機器という１つの属性情報のみを用いて、表示装置での画面を生成しており、上記第２の従来例は器具という１つの属性情報のみを用いて、表示装置での画面を生成しており、ユーザが監視制御したいネットワーク機器の監視制御画面を表示させるためには、この１つの属性情報のみに基づいて検索しなければならず、所望の監視制御画面に辿りつくまでに、時間、労力を要するものであった。
【００１３】
本発明は、上記事由に鑑みてなされたものであり、その目的は、表示装置と複数のネットワーク機器とがネットワークに接続された場合に、ネットワーク機器の所望の機能を監視制御する画面を表示装置に容易に表示させることができるネットワークシステムを提供することにある。
【課題を解決するための手段】
【００１４】
請求項１の発明は、ネットワークに接続された複数の端末装置が、各端末装置に付与された機器識別情報に基づいて互いに通信を行うネットワークシステムにおいて、複数の端末装置のうち少なくとも２台以上は、１乃至複数の機能を有するネットワーク機器であり、各ネットワーク機器は、複数の属性カテゴリー毎に予め設定された属性情報を具備して、各属性情報には属性情報識別子が付与されており、複数の端末装置のうち少なくとも１台以上は、各ネットワーク機器の機能の監視または制御を行う監視制御画面を表示し、監視制御画面を操作することによって各ネットワーク機器の機能を監視する通知要求、または各ネットワーク機器の機能を制御する実行要求を各ネットワーク機器へ送信する表示装置であり、複数の端末装置のうち少なくとも１台以上は、属性情報の属性識別子および機器識別情報を各ネットワーク機器から収集する情報収集手段と、属性カテゴリーと当該属性カテゴリーに属する属性識別子と当該属性識別子に対応する属性情報とを予め関連付けた設定対応情報、および情報収集手段によって収集された属性識別子と機器識別情報とを関連付けた収集対応情報を格納した記憶手段を備え、表示装置は、属性カテゴリー単位で属性カテゴリー画面を表示し、属性カテゴリー画面の操作結果に基づいていずれかの属性カテゴリーを選択するカテゴリー指示手段と、カテゴリー指示手段が選択した属性カテゴリーに属する属性識別子を設定対応情報に基づいて抽出し、抽出された属性識別子と収集対応情報に設定されている属性識別子とを照合して互いに一致する属性識別子がある場合は、設定対応情報において当該一致する全ての属性識別子に関連付けられた属性情報を抽出し、抽出された属性情報単位で属性情報画面を表示し、属性情報画面の操作結果に基づいて、いずれかの属性情報を選択する属性情報指示手段と、選択された属性情報を有するネットワーク機器の機能を監視または制御する監視制御画面を生成して表示する監視制御画面生成手段とを備えることを特徴とする。
【００１５】
この発明によれば、属性カテゴリー単位でネットワーク機器が有する各機能の属性情報を表示装置に表示し、監視制御対象のネットワーク機器の機能についてユーザが把握している属性カテゴリーを選択すれば、選択した属性カテゴリーに属している属性情報を表示でき、次に所定の属性情報を選択すれば、選択された属性情報を有するネットワーク機器の機能を監視または制御する監視制御画面が生成されるので、従来のようにネットワーク機器と各器具との接続を意識することなく、表示装置と複数のネットワーク機器とがネットワークに接続された場合に、各ネットワーク機器の所望の機能を監視制御する画面を表示装置に容易に表示させることができる。
【００１６】
請求項２の発明は、請求項１において、前記記憶手段は、前記属性情報または属性情報の属性識別子と当該属性情報を表示する画面テンプレートとを関連付けたテンプレート対応情報を格納し、前記監視制御画面生成手段は、前記属性情報指示手段によって選択された属性情報または当該属性情報の属性識別子に関連付けられた画面テンプレートを、前記収集対応情報を参照して、当該属性情報に関連付けられた機器識別情報毎に監視制御画面に表示することを特徴とする。
【００１７】
この発明によれば、目的とする属性情報に対応した画面テンプレートを監視制御画面に表示するので、各ネットワーク機器特有のＧＵＩコンテンツを作成してネットワーク機器に搭載する必要がなく、開発工数の削減が可能となる。
【００１８】
請求項３の発明は、請求項２において、前記監視制御画面生成手段は、前記属性情報指示手段によって選択された属性情報または当該属性情報の属性識別子に関連付けられた画面テンプレートを、前記収集対応情報を参照して、当該属性情報に関連付けられた機器識別情報毎に監視制御画面に表示するとともに、収集対応情報を参照して、機器識別情報毎に前記選択された属性情報の属性識別子以外の属性識別子に関連付けられた属性情報のデータを監視制御画面に補助表示することを特徴とする。
【００１９】
この発明によれば、表示装置と複数のネットワーク機器とがネットワークに接続された場合に、ネットワーク機器の所望の機能を監視制御する画面を表示装置に容易に表示させることができる。
【００２０】
請求項４の発明は、請求項２または３において、前記監視制御画面の各画面テンプレートは、当該画面テンプレートに対応するネットワーク機器の機能の監視または制御を操作する要求操作手段を備え、前記表示装置は、監視制御画面に表示された画面テンプレートで要求操作手段が操作されると、当該画面テンプレートに対応するネットワーク機器へ通知要求または実行要求を送信することを特徴とする。
【００２１】
この発明によれば、表示装置の監視制御画面を操作することで、通知要求または実行要求をネットワーク機器へ送信できるので、監視制御対象のネットワーク機器の所望の機能を監視制御することができる。
【００２２】
請求項５の発明は、請求項１乃至４いずれかにおいて、前記ネットワーク機器は、機能情報を与えられることによりサービスを提供するサービス提供機能部と、サービス提供機能部が提供するサービスに対応する機能情報を定義した入出力定義を１乃至複数具備して当該入出力定義に定義されている前記機能情報をサービス提供機能部に与える処理を実行するための１乃至複数のオブジェクトを有し、各オブジェクトに付与された付与識別子を用いた通知要求または実行要求を受け取った場合、当該オブジェクトを実行することによって機能情報をサービス提供機能部に与えてネットワーク機器の機能を監視または制御する情報処理部とを備え、前記表示装置は、付与識別子を用いた通知要求または実行要求を送信することを特徴とする。
【００２３】
この発明によれば、付与識別子によって各ネットワーク機器が具備するオブジェクトを実行できるので、容易にネットワーク機器の機能を特定して監視制御を行うことができる。
【００２４】
請求項６の発明は、請求項１乃至５いずれかにおいて、前記属性カテゴリーは、少なくとも、前記ネットワーク機器の機能と、当該機能に対応する場所とを含むことを特徴とする。
【００２５】
この発明によれば、従来は、ネットワーク機器の配下の各器具の状態を監視制御するためには、ネットワーク機器と各器具との接続を意識しなければならなかったが、ネットワーク機器が有する機能や場所を属性カテゴリーとして設定することによって、各ネットワーク機器の所望の機能を監視制御する画面に辿りつくまでの画面遷移の検索方法が柔軟になり、ユーザの好みの属性情報に基づいて所望の監視制御画面に辿りつくことができる。
【００２６】
請求項７の発明は、請求項１乃至６いずれかにおいて、前記属性カテゴリーは、少なくとも、ユーザ情報を含むことを特徴とする。
【００２７】
この発明によれば、ネットワーク機器が有するユーザ情報を属性カテゴリーとして設定することによって、各ネットワーク機器の所望の機能を監視制御する画面に辿りつくまでの画面遷移の検索方法が柔軟になり、ユーザの好みの属性情報に基づいて所望の監視制御画面に辿りつくことができる。
【００２８】
請求項８の発明は、請求項１乃至７いずれかにおいて、前記属性カテゴリーは、少なくとも、監視制御の対象となる媒体情報を含むことを特徴とする。
【００２９】
この発明によれば、ネットワーク機器が有する監視制御の対象となる媒体情報（温度、湿度、風量等）を属性カテゴリーとして設定することによって、各ネットワーク機器の所望の機能を監視制御する画面に辿りつくまでの画面遷移の検索方法が柔軟になり、ユーザの好みの属性情報に基づいて所望の監視制御画面に辿りつくことができる。特に、ネットワーク機器の配下に接続する計測器具の数が膨大になる非住宅のビルシステム等では効果的である。
【発明の効果】
【００３０】
以上説明したように、本発明では、表示装置と複数のネットワーク機器とがネットワークに接続された場合に、ネットワーク機器の所望の機能を監視制御する画面を表示装置に容易に表示させることができるという効果がある。
【発明を実施するための最良の形態】
【００３１】
以下、本発明の実施の形態を図面に基づいて説明する。
【００３２】
（実施形態）
図２は、本実施形態のネットワークシステムの全体構成を示しており、複数のネットワーク機器１（図２ではネットワーク機器１１，１２の２台）と、１台の表示装置２とが、宅内ネットワークＮＴ１に接続され、ネットワーク機器１１，１２の各配下には、照明器具、空調器具、防犯器具、計測器具、電気錠等の器具３が接続されている。さらに、宅内ネットワークＮＴ１はホームゲートウェイ４を介してインターネットを構築する広域網ＮＴ２に接続され、宅内ネットワークＮＴ１上の各端末装置（ネットワーク機器１、表示装置２等）はホームゲートウェイ４を介して広域網ＮＴ２上のセンタサーバ５と通信を行うことができる。
【００３３】
そして、宅内ネットワークＮＴ１上の各端末装置（ネットワーク機器１、表示装置２等）は機器識別情報（ＩＰアドレス）を割り付けられており、この機器識別情報を用いて互いに通信を行う。
【００３４】
ホームゲートウェイ４は、情報ブレーカを備えて宅内ネットワークＮＴ１に接続されるだけでなく、広域網ＮＴ３に接続される接続口を有する宅内サーバを構成し、広域網ＮＴ２に接続されたセンタサーバ５との間の通信と、宅内ネットワークＮＴ１を介した通信との両方の機能を備え、宅内ネットワークＮＴ１の各端末装置に関する識別情報の取得機能を備える。
【００３５】
図１は、宅内ネットワークＮＴ１における各構成を示す。
【００３６】
まずネットワーク機器１は、送受信部１ａと、属性情報記憶部１ｂと、情報処理部１ｃと、サービス提供機能部１ｄとを備えるネットリモコンやネットアダプタ等で構成され、ネットワークＮＴ１を介して受け取った要求に基づいて、配下の器具３の監視制御を行う１乃至複数の機能を有する。さらに各機能に対応する属性情報が複数の属性カテゴリー毎に予め設定されており、各属性情報には属性識別子が付与されている。
【００３７】
上記属性カテゴリーは、「機能」、「場所」、「ユーザ」、「監視制御の対象となる媒体」等に分類されており、各カテゴリーに属する属性情報には以下のようなものがある。
【００３８】
機能カテゴリーには、ネットワーク機器１の配下にある器具３を監視制御する各機能自体を表す属性情報が属しており、照明器具３の点灯状態を制御する機能である「ＯＮ／ＯＦＦ制御機能」、空調器具３の空調状態を制御する機能である「ＵＰ／ＤＯＷＮ制御機能」、防犯器具３の検知結果を監視する機能である「防犯監視機能」、計測器具３の計測結果を監視する機能である「計測機能」、電気錠３の動作状態を監視する機能である「動作検知機能」等が該当する。なお、機能カテゴリーの属性情報は機能自体を表す属性情報であり、各機能に割り当てられる属性情報（他に後述する場所の属性情報、ユーザの属性情報等がある）のうちの１つである。
【００３９】
場所カテゴリーには、ネットワーク機器１の配下にある器具３を監視制御する各機能に対応する各場所の属性情報が属しており、「リビング」、「寝室」、「キッチン」、「玄関」、「庭」等が該当する。
【００４０】
ユーザカテゴリーには、ネットワーク機器１の配下にある器具３を監視制御する各機能に対応する各ユーザの属性情報が属しており、「お父さん」、「お母さん」、「Ａ子」、「Ｂ男」等が該当する。
【００４１】
監視制御の対象となる媒体カテゴリーには、ネットワーク機器１の配下にある器具３を通して監視制御する対象となる媒体の属性情報が属しており、「温度」、「湿度」、「風量」、「照度」等が該当する。
【００４２】
そして、属性情報記憶部１ｂには、配下の器具３に対応する属性情報に付与された属性識別子が属性カテゴリー毎に対応して格納されるとともに、自器の機器識別情報も格納されており、例えばネットワーク機器１１の属性情報記憶部１ｂには、図３に示すように、機器識別情報としてのＩＰアドレス「１９２．１６８．１．３」が設定され、機能カテゴリーに属する属性識別子として「ＯＮ／ＯＦＦ制御機能」、「ＵＰ／ＤＯＷＮ制御機能」が設定され、場所カテゴリーに属する属性識別子として「ＯＮ／ＯＦＦ制御機能」に対応する「キッチン」、「寝室」が設定され、さらに「ＵＰ／ＤＯＷＮ制御機能」に対応する「寝室」が設定され、ユーザカテゴリーに属する属性識別子として「ＯＮ／ＯＦＦ制御機能」に対応する「おかあさん」が設定されている。
【００４３】
すなわち、ネットワーク機器１１が具備する「ＯＮ／ＯＦＦ制御機能」は、おかあさんがキッチンおよび寝室に設置された照明器具３をＯＮ／ＯＦＦ制御するものであり、「ＵＰ／ＤＯＷＮ制御機能」は寝室に設置された空調器具３をＯＮ／ＯＦＦ制御するものである。なお、場所カテゴリー、ユーザカテゴリーは、ユーザによって設定される。
【００４４】
また、ネットワーク機器１２の属性情報記憶部１ｂには、図４に示すように、機器識別情報としてのＩＰアドレス「１９２．１６８．１．５」が設定され、機能カテゴリーに属する属性識別子として「防犯監視機能」、「計測機能」、「動作検知機能」が設定され、場所カテゴリーに属する属性識別子として「防犯監視機能」に対応する「寝室」が設定され、「計測機能」に対応する「庭」が設定され、「動作検知機能」に対応する「玄関」が設定され、監視制御の対象となる媒体カテゴリーに属する属性識別子として「計測機能」に対応する「温度」、「湿度」、「風量」、「照度」が設定されている。
【００４５】
すなわち、ネットワーク機器１２が具備する「防犯監視機能」は、寝室に設置された防犯器具３の検知結果を監視し、「計測機能」は計測器具３が計測した庭の温度、湿度、風量、照度の各検知結果を監視し、「動作検知機能」玄関に設置された電気錠３の動作状態を監視するものである。なお、場所カテゴリー、ユーザカテゴリー、媒体カテゴリーは、ユーザによって設定される。
【００４６】
送受信部１ａは、属性情報記憶部１ｂに格納している危機識別情報に基づいてネットワーク通信を行う。
【００４７】
サービス提供機能部１ｄは、各ネットワーク機器１が提供するサービス（機能）に応じて構成された監視制御対象であり、例えば、照明器具３の点灯、消灯を制御する点灯手段や、空調器具３の動作、停止、設定温度を制御する手段や、防犯器具３の検知結果を取得する機能や、計測器具３の検知結果を取得する機能や、電気錠３の動作状態を取得する機能等で構成される。
【００４８】
情報処理部１ｃは、本実施形態のネットワークシステムにおけるオブジェクトサーバ機能を実現するために、オブジェクトが含まれたソフトモジュール（以下、ソフトウェアモジュールと称す）が組み込まれており、サービス提供機能部１ｄに動作指示（動作制御）するための関数を与える処理、サービス提供機能部１ｄの現在状態を示す変数を取得する処理、さらにはサービス提供機能部１ｄの状態変化が発生したことを示すイベント情報を取得する処理を行う。
【００４９】
本実施形態のネットワークシステムを構築する各ネットワーク機器１は、サービス提供のための処理を行う際に用いる１乃至複数のオブジェクトを、情報処理部１ｃ内に組み込まれたソフトウェアモジュールに具備する。各オブジェクトは、サービス提供機能部１ｄが提供するサービスに対応する機能情報（変数、関数、イベント情報の組み合わせ）を定義した入出力定義（以下、インターフェースと称す）を１乃至複数具備し、各オブジェクトには、当該オブジェクトに固有に付与されたオブジェクト固有識別子（以下、ＯＩＤと称す）と、当該オブジェクトが具備する各インターフェースに付与されたインターフェース識別子（以下、ＩＩＤと称す）とで構成された付与識別子［ＯＩＤ＋ＩＩＤ］を付与されている。
【００５０】
そして、情報処理部１ｃは、付与識別子を用いた実行要求を受け取った場合、当該付与識別子を付与されているオブジェクトを実行することによって機能情報をサービス提供機能部１ｄに与える。また、付与識別子を用いた通知要求を受け取った場合、当該付与識別子を付与されているオブジェクトが取得した現在状態を示す変数や、状態変化が発生したことを示すイベント情報を要求送信元に送信する。
【００５１】
本実施形態では、上記インターフェースが機能カテゴリーの属性情報に相当し、インターフェースに付与されたＩＩＤが機能カテゴリーの属性識別子に相当する。
【００５２】
なお、提供サービスに対応する定義内容が同一のインターフェース、つまり同じＩＩＤを付与したインターフェースは複数のオブジェクト下に割り当てることが許されるものである。さらに、特定のネットワーク機器１を指定することが必要の無いサービスでは、同一のＯＩＤを複数のネットワーク機器１に割り当てることも可能である。
【００５３】
また、本実施形態のネットワークシステムにおけるプロトコルには、ＯＳＩ７階層モデルを用い、最上位階層のアプリケーション層としては、ネットワーク機器１の情報処理部１ｃのソフトウェアモジュールが他の端末装置との間で変数、イベント情報、関数の各情報の授受を行うための独自のオブジェクトアクセスプロトコル（Object  Access  Protocol＝ＯＡＰ）を用いている。
【００５４】
次に、ホームゲートウェイ４は、送受信部４ａと、情報収集部４ｂと、記憶部４ｃとを備え、送受信部４ａは、ホームゲートウェイ４に固有の機器識別情報（ＩＰアドレス）を格納しており、この機器識別情報に基づいてネットワーク通信を行う。
【００５５】
情報収集部４ｂは、宅内ネットワークＮＴ１上の各ネットワーク機器１が具備する機器識別情報および属性識別子を収集し、記憶部４ｃに引き渡す。
【００５６】
記憶部４ｃは、図５に示す属性カテゴリーと当該属性カテゴリーに属する全ての属性識別子と当該属性識別子に対応する属性情報とを予め関連付けた設定対応情報、および図６に示す情報収集部４ｂによって収集された属性識別子と機器識別情報とを関連付けた収集対応情報を格納している。さらには、収集した属性情報または属性情報識別子と当該属性情報を表示する画面テンプレートとを関連付けたテンプレート対応情報も格納している。なお、図中の属性識別子の欄における識別子［＊＊＊＊］という表記は、実際は数字、アルファベット、記号等を用いて表されている。
【００５７】
次に、画像表示装置２は、送受信部２ａと、カテゴリー指示部２ｂと、属性情報指示部２ｃと、監視制御画面生成部２ｄと、表示部２ｅと、リクエスト指示部２ｆとを備えて、ネットワーク機器１の各機能を監視制御しており、送受信部２ａは、画像表示装置２に固有の機器識別情報（ＩＰアドレス）を格納しており、この機器識別情報に基づいてネットワーク通信を行う。
【００５８】
以下、画像表示装置２による監視制御処理について図７の画面遷移図、図８の処理フローチャートを用いて説明する。
【００５９】
まず、カテゴリー指示部２ｂは、図７（ａ）に示すような属性カテゴリー毎に、機能別アイコンＢ１、セキュリティレベル別アイコンＢ２、ユーザ別アイコンＢ３、場所別アイコンＢ４等からなるメインメニュー画面Ｇ１（属性カテゴリー画面）を表示部２ｅに表示する。
【００６０】
そして、このメインメニュー画面Ｇ１において、ユーザが閲覧したい属性カテゴリーを選択して、例えば機能別アイコンＢ１をクリックすると（ステップＳ１）、カテゴリー指示部２ｂは、機能カテゴリーが選択されたことを検知し、当該検知結果を属性情報指示部２ｃへ伝達する。
【００６１】
属性情報指示部２ｃは、ホームゲートウェイ４の記憶部４ｃから設定対応情報および収集対応情報を取得し、カテゴリー指示部２ｂが選択した機能カテゴリーに属する属性識別子を設定対応情報に基づいて抽出する。そして、抽出された機能カテゴリーに属する属性識別子と収集対応情報に設定されている属性識別子とを照合して互いに一致する属性識別子がある場合は、この一致する全ての属性識別子に対して設定対応情報で関連付けられた属性情報を抽出し、抽出した属性情報単位で図７（ｂ）に示す機能別メニュー画面Ｇ２（属性情報画面）を表示部２ｅに表示する。
【００６２】
機能別メニュー画面Ｇ２には、機能の一覧として、機能カテゴリーに属するＯＮ／ＯＦＦ制御アイコンＢ１１、ＵＰ／ＤＯＷＮ制御アイコンＢ１２、防犯アイコンＢ１３、計測アイコンＢ１４等が表示され、ユーザが閲覧したい属性情報を選択して、例えばＯＮ／ＯＦＦ制御アイコンＢ１１をクリックすると（ステップＳ３）、属性情報指示部２ｃは、「ＯＮ／ＯＦＦ制御」が選択されたことを検知し、当該検知結果を監視制御画面生成部２ｄへ伝達する。
【００６３】
監視制御画面生成部２ｄは、ホームゲートウェイ４の記憶部４ｃから、属性情報または属性情報の属性識別子と属性情報を表示する画面テンプレートとを関連付けたテンプレート対応情報を取得し、属性情報指示部２ｃによって選択された属性情報「ＯＮ／ＯＦＦ制御」またはこの属性情報の属性識別子「ＯＮ／ＯＦＦ制御」に関連付けられた画面テンプレートをテンプレート対応情報から選択する（ステップＳ６）。そして、既に取得している収集対応情報を参照して、選択された属性情報の属性識別子「ＯＮ／ＯＦＦ制御」に関連付けられた機器識別情報毎に、選択された画面テンプレートを配置した図７（ｃ）に示すＯＮ／ＯＦＦ監視制御画面Ｇ３（監視制御画面）を生成して表示部２ｅに表示する（ステップＳ７）。
【００６４】
上記画面テンプレートは、表示するためのＨＴＭＬコンテンツやＪａｖａ（登録商標）Ｓｃｒｉｐｔやアイコン（ｊｐｇファイル、ｇｉｆファイル）が含まれ、ＯＮ／ＯＦＦ監視制御画面Ｇ３において各属性情報のアイコンを表示するための情報が搭載され、ＯＮ／ＯＦＦ監視制御画面Ｇ３上にて必要に応じて動的に表示内容が変化する。
【００６５】
すなわち、表示された画面テンプレート毎に、収集対応情報および設定対応情報を参照して、各ネットワーク機器１において設定されている全ての属性情報から、選択された属性情報以外の属性情報（例えば、「場所」、「ユーザ」、「監視制御の対象となる媒体」の各カテゴリーに属する属性情報）も画面テンプレートに付加して表示させることができる。（つまり、ネットワーク機器１の機能に対応して表示された画面テンプレート毎に、収集対応情報および設定対応情報を参照して、当該ネットワーク機器１の機器識別情報毎に関連付けられた全ての属性識別子から、選択された属性情報の属性識別子以外の属性識別子に関連付けられた属性情報のデータも監視制御画面に表示する）。
【００６６】
従来は、各ネットワーク機器１に予め搭載されたＧＵＩコンテンツしか表示できないために、表示内容の自由度が小さく、画面構成の柔軟性が低く、さらにネットワーク機器１の機能追加を行う場合には、その都度、追加する機能を表示するＧＵＩコンテンツの開発を行う必要があり、開発工数がかかっていた。しかし、本実施形態では、上記のように目的とする属性情報に対応した画面テンプレートを監視制御画面に表示するので、柔軟な画面構成が可能となり、さらには各ネットワーク機器特有のＧＵＩコンテンツを作成してネットワーク機器１に搭載する必要がないので、開発工数の削減が可能となる。
【００６７】
ＯＮ／ＯＦＦ監視制御画面Ｇ３には、ネットワーク機器１１，１２の配下の全ての器具３のうち、機能カテゴリーの属性情報として「ＯＮ／ＯＦＦ制御」を設定された器具３を監視制御する画面が表示されており、リビングの照明器具３、１階寝室の照明器具３、玄関の照明器具３の各状態を示す状態表示部Ｃ１と、各状態を切り替える操作ボタンＣ２とが、照明器具３毎に表示されている。ここで、状態表示部Ｃ１に表示される照明器具３の状態とはＯＮ／ＯＦＦ（点灯／消灯）状態である。
【００６８】
そして、操作ボタンＣ２をクリックすると、リクエスト指示部２ｆは、監視制御対象の照明器具３を配下とするネットワーク機器１が具備するＯＮ／ＯＦＦ制御機能（を有するオブジェクト）を制御するために、ＯＮ／ＯＦＦ制御機能に相当するＩＩＤを含む付与識別子を用いた実行要求を生成し、収集対応情報から抽出した送信先のネットワーク機器１のＩＰアドレスを用いて、送受信部２ａから宅内ネットワークＮＴ１上に実行要求を送出する。実行要求を受け取ったネットワーク機器１は、当該実行要求の付与識別子を付与されているオブジェクトを具備している場合、情報処理部１ｃが、当該オブジェクトを実行することによって機能情報をサービス提供機能部１ｄに与え、照明器具３の状態を反転させる。そして、このネットワーク機器１は、制御が完了すると完了通知（ＡＣＫ）を表示装置２へ送信し、状態表示部Ｃ１および操作ボタンＣ２の各表示（ＯＮ／ＯＦＦ）を切り替える。
【００６９】
また、機能別メニュー画面Ｇ２において、例えばＵＰ／ＤＯＷＮ制御アイコンＢ１２をクリックすると（ステップＳ３）、属性情報指示部２ｃは、「ＵＰ／ＤＯＷＮ制御」が選択されたことを検知し、当該検知結果を監視制御画面生成部２ｄへ伝達する。
【００７０】
監視制御画面生成部２ｄは、ホームゲートウェイ４の記憶部４ｃから、属性情報または属性情報の属性識別子と属性情報を表示する画面テンプレートとを関連付けたテンプレート対応情報を取得し、属性情報指示部２ｃによって選択された属性情報「ＵＰ／ＤＯＷＮ制御」またはこの属性情報の属性識別子「ＵＰ／ＤＯＷＮ制御」に関連付けられた画面テンプレートをテンプレート対応情報から選択する（ステップＳ６）。そして、既に取得している収集対応情報を参照して、選択された属性情報の属性識別子「ＵＰ／ＤＯＷＮ制御」に関連付けられた機器識別情報毎に、選択された画面テンプレートを配置した図７（ｄ）に示すＵＰ／ＤＯＷＮ監視制御画面Ｇ４（監視制御画面）を生成して表示部２ｅに表示する（ステップＳ７）。
【００７１】
ＵＰ／ＤＯＷＮ監視制御画面Ｇ４には、ネットワーク機器１１，１２の配下の全ての器具３のうち、機能カテゴリーの属性情報として「ＵＰ／ＤＯＷＮ制御」を設定された器具３を監視制御する画面が表示されており、リビングの空調器具３、１階寝室の空調器具３、２階の空調器具３の各設定温度を調整する設定温度表示部Ｃ３と、ＯＮ／ＯＦＦ（電源入／電源切）状態を切り替える操作ボタンＣ４とが、空調器具３毎に表示されている。ここで、設定温度表示部Ｃ２は、空調器具３がＯＮ状態のときのみ表示され、空調器具３がＯＦＦ状態のときは「ＯＦＦ」表示される。
【００７２】
そして、操作ボタンＣ４をクリックすると、リクエスト指示部２ｆは、監視制御対象の空調器具３を配下とするネットワーク機器１が具備するＵＰ／ＤＯＷＮ制御機能（を有するオブジェクト）を制御するために、ＵＰ／ＤＯＷＮ制御機能に相当するＩＩＤを含む付与識別子を用いた実行要求を生成し、収集対応情報から抽出した送信先のネットワーク機器１のＩＰアドレスを用いて、送受信部２ａから宅内ネットワークＮＴ１上に実行要求を送出する。実行要求を受け取ったネットワーク機器１は、当該実行要求の付与識別子を付与されているオブジェクトを具備している場合、情報処理部１ｃが、当該オブジェクトを実行することによって機能情報をサービス提供機能部１ｄに与え、空調器具３の状態を反転させるとともに、ＯＮ状態時には設定温度表示部Ｃ３による設定温度で空調器具３を動作させる。そして、このネットワーク機器１は、制御が完了すると完了通知（ＡＣＫ）を表示装置２へ送信し、表示装置２の監視制御画面生成部２ｄは、表示部２における設定温度表示部Ｃ３および操作ボタンＣ４の各表示（ＯＮ／ＯＦＦ）を切り替える。
【００７３】
さらに、設定温度表示部Ｃ３を操作して設定温度を変化させると、リクエスト指示部２ｆは、ＵＰ／ＤＯＷＮ制御機能に相当するＩＩＤを含む付与識別子を用いた実行要求を生成して、送受信部２ａから宅内ネットワークＮＴ１上に送出し、実行要求を受け取ったネットワーク機器１は、当該実行要求の付与識別子を付与されているオブジェクトを具備している場合、情報処理部１ｃが、当該オブジェクトを実行することによって機能情報をサービス提供機能部１ｄに与え、設定温度表示部Ｃ３による設定温度で空調器具３を動作させる。
【００７４】
また、機能別メニュー画面Ｇ２において、例えば計測制御アイコンＢ１４をクリックすると、カテゴリー指示部２ｂは、「計測」が選択されたことを検知し、属性情報「計測」に付随する監視制御対象媒体情報カテゴリーに属する属性情報が次に抽出され、抽出した属性情報単位で図７（ｅ）に示す計測別メニュー画面Ｇ５（属性情報画面）を表示部２ｅに表示する。そして、計測別メニュー画面Ｇ５には、温度アイコンＢ２１、湿度アイコンＢ２２、風量Ｂ２３、照度アイコンＢ２４が表示され、ユーザが閲覧したい属性情報を選択して、例えば温度アイコンＢ２１をクリックすると（ステップＳ３）、属性情報指示部２ｃは、「温度」が選択されたことを検知し、当該検知結果を監視制御画面生成部２ｄへ伝達する。
【００７５】
監視制御画面生成部２ｄは、ホームゲートウェイ４の記憶部４ｃから、属性情報または属性情報の属性識別子と属性情報を表示する画面テンプレートとを関連付けたテンプレート対応情報を取得し、属性情報指示部２ｃによって選択された属性情報「温度」またはこの属性情報の属性識別子「温度」に関連付けられた画面テンプレートをテンプレート対応情報から選択するとともに（ステップＳ６）、温度計測機能に相当するＩＩＤを含む付与識別子を用いた通知要求が送受信部２ａから宅内ネットワークＮＴ１上に送出され、通知要求を受け取ったネットワーク機器１は、当該通知要求の付与識別子を付与されているオブジェクトを具備している場合、情報処理部１ｃが、当該オブジェクトを実行することによって機能情報をサービス提供機能部１ｄに与え、温度の計測結果を表示装置２へ送信し、以後、温度の計測結果が変動する毎に（イベント発生毎に）、計測結果を表示装置２へ送信する。
【００７６】
そして、監視制御画面生成部２ｄは、既に取得している収集対応情報を参照して、選択された属性情報の属性識別子「温度」に関連付けられた機器識別情報毎に、選択された画面テンプレートを配置した図７（ｆ）に示す温度監視制御画面Ｇ６（監視制御画面）を生成し、受信した温度の計測結果とともに表示部２ｅに表示する（ステップＳ７）。
【００７７】
温度監視制御画面Ｇ６には、ネットワーク機器１１，１２の配下の全ての器具３のうち、監視制御対象媒体情報カテゴリーの属性情報として「温度」を設定された器具３を監視制御する画面が表示されており、庭花壇１の温度、庭花壇２の温度、庭奥の温度を各々表示する温度表示部Ｃ５が、計測器具３毎に表示されている。
【００７８】
このように温度、湿度、風量、照度等の監視制御対象媒体情報を用いることで、特に、ネットワーク機器１の配下に接続する計測器具３の数が膨大になる非住宅のビルシステム等では効果的である。
【００７９】
また、図７（ａ）に示すメインメニュー画面Ｇ１において、例えば場所別アイコンＢ４をクリックすると（ステップＳ１）、カテゴリー指示部２ｂは、場所カテゴリーが選択されたことを検知し、当該検知結果を属性情報指示部２ｃへ伝達する。
【００８０】
属性情報指示部２ｃは、ホームゲートウェイ４の記憶部４ｃから設定対応情報および収集対応情報を取得し、カテゴリー指示部２ｂが選択した場所カテゴリーに属する属性識別子を設定対応情報に基づいて抽出する。そして、抽出された場所カテゴリーに属する属性識別子と収集対応情報に設定されている属性識別子とを照合して互いに一致する属性識別子がある場合は、この一致する全ての属性識別子に対して設定対応情報で関連付けられた属性情報を抽出し、抽出した属性情報単位で図７（ｈ）に示す場所別メニュー画面Ｇ８（属性情報画面）を表示部２ｅに表示する。
【００８１】
場所別メニュー画面Ｇ８には、場所の一覧として、場所カテゴリーに属する玄関アイコンＢ４１、リビングアイコンＢ４２、１階寝室アイコンＢ４３、庭アイコンＢ４４等が表示され、ユーザが閲覧したい属性情報を選択して、例えばリビングアイコンＢ４２をクリックすると（ステップＳ４）、属性情報指示部２ｃは、「リビング」が選択されたことを検知し、当該検知結果を監視制御画面生成部２ｄへ伝達する。
【００８２】
監視制御画面生成部２ｄは、ホームゲートウェイ４の記憶部４ｃから、属性情報または属性情報の属性識別子と属性情報を表示する画面テンプレートとを関連付けたテンプレート対応情報を取得し、属性情報指示部２ｃによって選択された属性情報「リビング」またはこの属性情報の属性識別子「リビング」に関連付けられた画面テンプレートをテンプレート対応情報から選択する（ステップＳ６）。そして、既に取得している収集対応情報を参照して、選択された属性情報の属性識別子「リビング」に関連付けられた機器識別情報毎に、選択された画面テンプレートを配置した図７（ｉ）に示すリビング監視制御画面Ｇ９（監視制御画面）を生成して表示部２ｅに表示する（ステップＳ７）。
【００８３】
リビング監視制御画面Ｇ９には、ネットワーク機器１１，１２の配下の全ての器具３のうち、場所カテゴリーの属性情報として「リビング」を設定された器具３を監視制御する画面が表示されており、リビングの照明器具３の状態を示す状態表示部Ｃ１と、リビングの照明器具３の状態を切り替える操作ボタンＣ２と、リビングの空調器具３の設定温度を調整する設定温度表示部Ｃ３と、リビングの空調器具３のＯＮ／ＯＦＦ（電源入／電源切）状態を切り替える操作ボタンＣ４とが表示されている。各操作ボタンＣ１，Ｃ２を操作したときの動作は、図７（ｃ）（ｄ）と同様であり省略する。なお、場所カテゴリーの属性情報として「リビング」を設定された器具３のうち、機能カテゴリーの属性情報に「人感センサ」を設定されたものがないため、リビング人感センサの項目は未検知と表示されている。
【００８４】
また、図７（ａ）に示すメインメニュー画面Ｇ１において、例えばユーザ別アイコンＢ３をクリックすると（ステップＳ１）、カテゴリー指示部２ｂは、ユーザカテゴリーが選択されたことを検知し、当該検知結果を属性情報指示部２ｃへ伝達する。
【００８５】
属性情報指示部２ｃは、ホームゲートウェイ４の記憶部４ｃから設定対応情報および収集対応情報を取得し、カテゴリー指示部２ｂが選択したユーザカテゴリーに属する属性識別子を設定対応情報に基づいて抽出する。そして、抽出されたユーザカテゴリーに属する属性識別子と収集対応情報に設定されている属性識別子とを照合して互いに一致する属性識別子がある場合は、この一致する全ての属性識別子に対して設定対応情報で関連付けられた属性情報を抽出し、抽出した属性情報単位で図７（ｇ）に示すユーザ別メニュー画面Ｇ７（属性情報画面）を表示部２ｅに表示する。
【００８６】
ユーザ別メニュー画面Ｇ７には、ユーザの一覧として、ユーザカテゴリーに属するおとうさんアイコンＢ３１、おかあさんアイコンＢ３２、Ａ子アイコンＢ３３、Ｂ男アイコンＢ３４等が表示され、ユーザが閲覧したい属性情報を選択して、所望のアイコンをクリックすると（ステップＳ５）、属性情報指示部２ｃは、ユーザに関する特定の属性情報が選択されたことを検知し、当該検知結果を監視制御画面生成部２ｄへ伝達する。
【００８７】
また、図７（ａ）に示すメインメニュー画面Ｇ１において、例えばセキュリティレベル別アイコンＢ３をクリックすると（ステップＳ１）、カテゴリー指示部２ｂは、ユーザカテゴリーが選択されたことを検知し、当該検知結果を属性情報指示部２ｃへ伝達し、属性情報指示部２ｃは、上記同様に抽出した属性情報単位で図示しないセキュリティレベル別メニュー画面（属性情報画面）を表示部２ｅに表示する。そして、セキュリティレベル別メニュー画面には、セキュリティレベルの一覧として、セキュリティ有りアイコン、セキュリティ無しアイコン等が表示され、ユーザが閲覧したい属性情報を選択して、所望のアイコンをクリックすると（ステップＳ２）、属性情報指示部２ｃは、セキュリティレベルに関する特定の属性情報が選択されたことを検知し、当該検知結果を監視制御画面生成部２ｄへ伝達する。ここでセキュリティレベルとは、課金情報等の他人には盗聴されたくない情報に関してセキュリティ有りとして暗号化通信を行うことを想定している。
【００８８】
そして、監視制御画面生成部２ｄは、ホームゲートウェイ４の記憶部４ｃから、属性情報または属性情報の属性識別子と属性情報を表示する画面テンプレートとを関連付けたテンプレート対応情報を取得し、属性情報指示部２ｃによって選択された属性情報またはこの属性情報の属性識別子に関連付けられた画面テンプレートをテンプレート対応情報から選択する（ステップＳ６）。そして、既に取得している収集対応情報を参照して、選択された属性情報の属性識別子に関連付けられた機器識別情報毎に、選択された画面テンプレートを配置し監視制御画面を生成して表示部２ｅに表示する（ステップＳ７）。
【００８９】
なお、各画面Ｇ１〜Ｇ９において、前ページボタンＢ５０をクリックすることで同一画面の前ページに遷移し、後ページボタンＢ５１をクリックすることで同一画面の後ページに遷移し、メニューボタンＢ５２をクリックすることで、メインメニュー画面Ｇ１に遷移する。
【００９０】
このように、本実施形態のネットワークシステムは、属性カテゴリー単位でネットワーク機器１が有する各機能の属性情報を表示装置２に表示し、監視制御対象のネットワーク機器１の機能についてユーザが把握している属性カテゴリーを選択すれば、選択した属性カテゴリーに属している属性情報を表示でき、次に所定の属性情報を選択すれば、選択された属性情報を有するネットワーク機器１の機能を監視または制御する監視制御画面が生成されるので、従来のようにネットワーク機器１と各器具３との接続を意識することなく、ネットワーク機器１の所望の機能を監視制御する画面を表示装置２に容易に表示させることができる。
【００９１】
また、ネットワーク機器１が有する機能、場所、ユーザ、セキュリティレベル等を属性カテゴリーとして設定することによって、ネットワーク機器１の所望の機能を監視制御する画面に辿りつくまでの画面遷移の検索方法が柔軟になり、ユーザの好みの属性情報に基づいて所望の監視制御画面に辿りつくことができる。
【００９２】
さらに、属性カテゴリーとして、上記以外に、「メディア種別」、「データ種別」等を用いてもよい。例えば、属性カテゴリー「メディア種別」では、専用線通信、ＩＰプロトコルによる通信、無線通信等のように物理層の態様によって属性情報を設定することが考えられるが、ユーザは通常、物理層は意識せずに使用することが多い。しかし、特定のネットワーク機器１が無線通信を行うことが明らかであって、この特定のネットワーク機器１の監視制御を行う場合には、属性カテゴリー「メディア種別」から属性情報「無線」を選択することで容易に目的の監視制御画面に辿りつくことができる。また、属性カテゴリー「データ種別」では、音声データ、画像データ等のように、通信で授受されるデータの種類によって属性情報を設定することが考えられる。
【００９３】
なお、本実施形態では、宅内ネットワークＮＴ１上の各ネットワーク機器１が具備する機器識別情報および属性識別子を収集する情報収集部４ｂと、設定対応情報、収集対応情報、テンプレート対応情報を格納している記憶部４ｃをホームゲートウェイ４に設けているが、表示装置２に設けてもよい。
【図面の簡単な説明】
【００９４】
【図１】実施形態の宅内ネットワークにおける各構成を示す図である。
【図２】同上のネットワークシステムの全体構成を示す図である。
【図３】同上のネットワーク機器における機器識別情報と属性識別子の設定を示す図である。
【図４】同上の別のネットワーク機器における機器識別情報と属性識別子の設定を示す図である。
【図５】同上の設定対応情報を示す図である。
【図６】同上の収集対応情報を示す図である。
【図７】同上の画面遷移を示す図である。
【図８】同上の処理フローチャートを示す図である。
【図９】従来の画面遷移を示す図である。
【符号の説明】
【００９５】
１  ネットワーク機器
２  表示装置
２ｂ  カテゴリー指示部
２ｃ  属性情報指示部
２ｄ  監視制御画面生成部
２ｅ  表示部
３  器具
４  ホームゲートウェイ
４ｂ  情報収集部
４ｃ  記憶部
ＮＴ１  宅内ネットワーク
【図１】
0005215703.tif 000002
【図２】
0005215703.tif 000003
【図３】
0005215703.tif 000004
【図４】
0005215703.tif 000005
【図５】
0005215703.tif 000006
【図６】
0005215703.tif 000007
【図７】
0005215703.tif 000008
【図８】
0005215703.tif 000009
【図９】
0005215703.tif 000010